(57)【要約】【課題】即時に捕獲した画像の実際座標位置を定位でき、端末機構で画像データを情報提供機構へ伝送して解析され、画像データ位置と端末機構位置との間の相関経路を取得でる画像ナビゲーションを提供する。【解決手段】レンズユニットと処理ユニットと定位ユニットと記憶ユニットとを有し、必要とする画像データを捕獲して実際座標位置を定位する画像捕獲機構と、受信ユニットと連結ユニットと表示ユニットとを有し、画像データを受信そして伝送する端末機構と、端末機構が連結でき、画像データ位置と端末機構位置との間の相関経路情報を提供する情報提供機構と、が含有される。【選択図】図1
0003128845.tif 000002
【実用新案登録請求の範囲】
【請求項１】
レンズユニットと、レンズユニットに連接される処理ユニットと、処理ユニットに連接される定位ユニットと、処理ユニットに連接される記憶ユニットとを有し、必要とする画像データを捕獲して実際座標位置を定位する画像捕獲機構と、
少なくとも受信ユニットと連結ユニット及び表示ユニットを有し、画像データを受信そして伝送する端末機構と、
上記端末機構同士を連結し、画像データ位置と端末機構位置との間の相関経路情報を提供する情報提供機構と、が含有されることを特徴とする画像ナビゲーション。
【請求項２】
当該定位ユニットはＧＰＳであることを特徴とする請求項１に記載の画像ナビゲーション。
【請求項３】
レンズユニットと、レンズユニットに連接される処理ユニットと、処理ユニットに連接される定位ユニットと、処理ユニットに連接される記憶ユニットとを有し、必要とする画像データを捕獲して実際座標位置を定位する画像捕獲機構と、
少なくとも受信ユニットと連結ユニット及び表示ユニットを有し、画像データを受信そして伝送する端末機構と、
画像データ位置と端末機構位置との間の相関経路情報を提供する情報提供機構と、が含有されることを特徴とする画像ナビゲーション。
【考案の詳細な説明】
【技術分野】
【０００１】
本考案は、画像ナビゲーションに関し、特に、即時に捕獲した画像の実際座標位置を定位して、画像データ位置と端末機構位置との間の相関経路を取得することにより、画像データによりナビゲーションの効果が得られるものに関する。
【背景技術】
【０００２】
一般の従来の携帯式電子機構は、例えば、コンピュータやＰＤＡ或いは携帯電話等の移動式電子端末装置であり、通信やカメラ、衛星ナビゲーション、データ統合及びオンラインのビデオやオーディオマルチメディア装置を結合することにより、ユーザーが、当該携帯式電子機構を多様化に使用でき、例えば、データ伝送や写真撮り、撮影或いは衛星ナビゲーション等の相関情報を利用できる。
【０００３】
既存の携帯式電子機構により、データ伝送や写真撮り、撮影或いは衛星ナビゲーション等の相関情報を利用できるが、その通信やカメラ、衛星ナビゲーション、データ統合及びオンラインの機能は、独自に使用され、例えば、衛星ナビゲーションの場合、携帯式電子機構のデータベースだけに対してサーチし、また、所定の時間後、自分でソフトを更新しなければならないため、実用とは言えなく、また、カメラの場合、撮影する時、画像の外に、写真に撮影の日期と時間しか記録できず、そのため、当該写真は、観賞用にしか利用できず、衛星ナビゲーションに合わせてユーザーに当該写真の位置へ行くための相関データをできないから、実用的ではなく、そのため、本考案者は、慎重的に研究し、写真の画像データから画像データ位置とユーザー位置との間の相関経路を取得でき、画像ナビゲーションの効果が得られるものを提案する。
【考案の開示】
【考案が解決しようとする課題】
【０００４】
本考案の主な目的は、従来の写真を観賞用にしか利用できず、衛星ナビゲーションに合わせてユーザーに当該写真の位置を提供できない欠点を解決できるものであり、即時に捕獲した画像の実際座標位置を定位し、端末機構で画像データを情報提供機構へ伝送して解析され、そして、画像データ位置と端末機構位置との間の相関経路を取得することを利用して、画像データによりナビゲーションの効果が得られる画像ナビゲーションを提供する。
【課題を解決するための手段】
【０００５】
請求項１の考案は、レンズユニットとレンズユニットに連接される処理ユニットと処理ユニットに連接される定位ユニットと処理ユニットに連接される記憶ユニットとを有し、必要とする画像データを捕獲して実際座標位置を定位する画像捕獲機構と、少なくとも受信ユニットと連結ユニット及び表示ユニットを有し、画像データを受信そして伝送する端末機構と、上記端末機構同士を連結し、画像データ位置と端末機構位置との間の相関経路情報を提供する情報提供機構と、が含有されることを特徴とする画像ナビゲーションである。
【０００６】
請求項２の考案は、当該定位ユニットがＧＰＳであることを特徴とする請求項１に記載の画像ナビゲーションである。
【０００７】
請求項３の考案は、レンズユニットとレンズユニットに連接される処理ユニットと処理ユニットに連接される定位ユニットと処理ユニットに連接される記憶ユニットとを有し、必要とする画像データを捕獲して実際座標位置を定位する画像捕獲機構と、少なくとも受信ユニットと連結ユニット及び表示ユニットを有し、画像データを受信そして伝送する端末機構と、画像データ位置と端末機構位置との間の相関経路情報を提供する情報提供機構と、が含有されることを特徴とする画像ナビゲーションである。
【考案を実施するための最良の形態】
【０００８】
図１と２及び３は、それぞれ、本考案の立体外観概念図と本考案の基本構造概念図及び本考案のフロック概念図である。図のように、本考案は、画像ナビゲーションであり、少なくとも、画像捕獲機構１と端末機構２及び情報提供機構３から構成され、即時に捕獲した画像の実際座標位置を定位でき、端末機構２で画像データを情報提供機構３へ伝送して解析され、画像データ位置と端末機構２位置との間の相関経路を取得して、画像データによりナビゲーションの効果が得られる。
【０００９】
上記画像捕獲機構１は、レンズユニット１１と、レンズユニット１１に連接される処理ユニット１２と、処理ユニット１２に連接される定位ユニット１３と、処理ユニット１２に連接される記憶ユニット１４とが含有され、当該定位ユニット１３はＧＰＳであり、画像データを捕獲した時の所在位置に関する経度と緯度及び高度を提供でき、記憶ユニット１４は、少なくとも、捕獲した画像の時間データや日期及び経度や緯度及び高度の画像データ１５を記憶でき、これにより、必要とする画像データ１５を捕獲して実際座標位置を定位でき、そのため、ユーザーが、経度と緯度により、自分の所在位置を分かり、また、高度により、自分の所在位置の高度を分かり、また、ユーザーも、定位ユニット１３を駆動して、通した経路を追跡して通した経路ファイルを出力することにより、自分の通した経路を記憶することができる。
【００１０】
当該端末機構２はコンピュータやＰＤＡ或いは携帯電話であり、少なくとも、受信ユニット２１と連結ユニット２２及び表示ユニット２３を有し、受信することや画像捕獲機構１の画像データ１５を伝送すること等を行う。
【００１１】
当該情報提供機構３は、必要に応じて、上記の端末機構２が連結され、少なくとも、端末機構２の連結ユニット２２に連結される通信連結ユニット３１と、端末機構２を認証するサーブユニット３２と、連結ユニット３３でサーブユニット３２に連結されて必要とする画像データ１５を提供するナビゲーションデータベース３４とが含有され、画像データ１５位置と端末機構２位置との間の相関経路情報を提供する。上記構造により、新規な画像ナビゲーションが構成される。
【００１２】
図４と５は、それぞれ、本考案の使用状態概念図と本考案の使用状態のフロック概念図である。図のように、本考案は、画像捕獲機構１のレンズユニット１１により、選択した画像を捕獲し、画像捕獲機構１により画像を捕獲すると、同時に、定位ユニット１３により、画像を捕獲した時の所在位置の時間や日期、経度、緯度及び高度等の画像データ１５を記憶ユニット１４に記憶し、また、当該画像データ１５を、Ｅ−ｍａｉｌやオンラインクリック、マーケティング媒体（光ディスク）、即時通信ソフト（ＭＳＮ）或いはメモリカード等の方式により端末機構２へ伝送し、当該端末機構２は、受信ユニット２１で画像データ１５を受信し、また、ユーザーが、画像データ１５の実際座標位置と端末機構２位置との間の相関経路情報を知りたい時、端末機構２の連結ユニット２２により、情報提供機構３の通信連結ユニット３１に連結し、サーブユニット３２によって認証されてから、必要とする画像データ１５を、連結ユニット３３を介してナビゲーションデータベース３４へ伝送し、また、当該情報提供機構３は、インターネットＩＰアドレスユニット３５と自動入力ユニット３６及びパッケージユニット３７を介して、端末機構２が連結する時の所在位置を取得し、そして、画像データ１５にある経度と緯度及び高度のデータを判読解析して、画像データ１５位置と端末機構２位置との間の相関経路データ３８を取得し、また、当該経路データ３８を端末機構２へ伝送し、端末機構２は、連結ユニット２２を介して経路データ３８を受信して、表示ユニット２３に表示し、これにより、ユーザーが、経路データ３８に基づいて画像データ１５の箇所へ行き、そのため、明白且つ正確的に当該画像データ１５を撮影した時の所在位置を分かり、また、情報提供機構３により画像データ１５を必要とする経路データ３８に解析し、画像データ１５によりナビゲーションの効果が得られ、また、本考案において、情報提供機構３の機能を端末機構２に統合してもよく、これにより、ユーザーが、インターネットを介しなくてもナビゲーション経路を解析でき、また、画像捕獲機構１が捕獲した画像を、位置情報を有するグラフィックファイルや定位情報ファイル或いは通した経路ファイルに変換して端末機構２へ傳送され、そして、判読を介して、捕獲した画像の所在位置へナビゲートする。
【００１３】
以上の説明のように、本考案に係わる画像ナビゲーションは有効に従来の欠点を改善でき、即時に捕獲した画像の実際座標位置を定位し、また、端末機構で画像データを情報提供機構へ伝送して解析され、画像データ位置と端末機構位置との間の相関経路が得られ、画像データによりナビゲーションの効果が得られるため、より実用的なものであるから、法に従って実用新案登録請求を出願する。
【００１４】
以上は、ただ、本考案のより良い実施例であり、本考案は、それによって制限されることがなく、また、本考案に係わる実用新案登録請求の範囲や明細書の内容に従って行う等価の変更や修正は、全てが、本考案に係わる実用新案登録請求の範囲内に含まれる。
【図面の簡単な説明】
【００１５】
【図１】本考案の立体外観概念図
【図２】本考案の基本構造概念図
【図３】本考案のフロック概念図
【図４】本考案の使用状態概念図
【図５】本考案の使用状態のフロック概念図
【符号の説明】
【００１６】
１      画像捕獲機構
１１    レンズユニット
１２    処理ユニット
１３    定位ユニット
１４    記憶ユニット
１５    画像データ
２      端末機構
２１    受信ユニット
２２    連結ユニット
２３    表示ユニット
３      情報提供機構
３１    通信連結ユニット
３２    サーブユニット
３３    連結ユニット
３４    ナビゲーションデータベース
３５    インターネットＩＰアドレスユニット
３６    自動入力ユニット
３７    パッケージユニット
３８    経路データ
【図１】
0003128845.tif 000003
【図２】
0003128845.tif 000004
【図３】
0003128845.tif 000005
【図４】
0003128845.tif 000006
【図５】
0003128845.tif 000007